(57)【要約】【課題】装着した状態においてベルトの長さ調節の操作がし易く、しかも構造が簡単で、生産コストも削減することができ、さらに嵩が低いため、スイミングゴーグル用とした場合、競泳などにおいて流体抵抗が小さく有利なものとなるベルト長さ調節具を提供する。【解決手段】第一挟持枠１と第二挟持枠２を交差させ回動自在として、両挟持枠１、２を交差角αまで拡げたり、この交差角αを閉じたりできるようにしたベルト挟持枠Ｆとし、このベルト挟持枠Ｆの一端にベルトＢの一端を挿通し、ベルト挟持枠Ｆの他端にベルトＢの他端を挿通し、前記交差角αを閉じたときに、第一、二挟持枠１、２間にベルトＢの一端と他端が挟持されるようにし、前記交差角αまで拡げたときに、前記ベルトＢの一端と他端の挟持が解除されるようにしている。【選択図】図５
2018075265.tif 000002
【特許請求の範囲】
【請求項１】
第一挟持枠（１）と第二挟持枠（２）を交差させ回動自在として、両挟持枠（１、２）を交差角（α）まで拡げたり、この交差角（α）を閉じたりできるようにしたベルト挟持枠（Ｆ）とし、このベルト挟持枠（Ｆ）の一端にベルト（Ｂ）の一端を挿通し、ベルト挟持枠（Ｆ）の他端にベルト（Ｂ）の他端を挿通し、前記交差角（α）を閉じたときに、第一、二挟持枠（１、２）間にベルト（Ｂ）の一端と他端が挟持されるようにし、前記交差角（α）まで拡げたときに、前記ベルト（Ｂ）の一端と他端の挟持が解除されるようにしていることを特徴とするベルト長さ調節具。
【請求項２】
第一挟持枠（１）は、一方側を下挟持枠体（３）とし、枢支部（４）を間において、他方側を上挟持枠体（５）とし、下挟持枠体（３）は、両側枠部（３ａ、３ｂ）と外枠部（３ｃ）とからなり、外枠部（３ｃ）の内方をベルト（Ｂ）の第一挿通空間（Ｓ1 ）とし、上挟持枠体（５）は、両側枠部（５ａ、５ｂ）と外枠部（５ｃ）と中枠部（５ｄ）とからなり、中枠部（５ｄ）の内方をベルト（Ｂ）の第二挿通空間（Ｓ2 ）とし、外枠部（５ｃ）と中枠部（５ｄ）の間をベルト（Ｂ）の第三挿通空間（Ｓ3 ）としており、第二挟持枠（２）は、一方側を下挟持枠体（６）とし、枢支部（７）を間において、他方側を上挟持枠体（８）とし、下挟持枠体（６）は、両側枠部（６ａ、６ｂ）と外枠部（６ｃ）とからなり、外枠部（６ｃ）の内方をベルト（Ｂ）の第一挿通空間（Ｓ1 ）とし、上挟持枠体（８）は、両側枠部（８ａ、８ｂ）と外枠部（８ｃ）と中枠部（８ｄ）とからなり、中枠部（８ｄ）の内方をベルト（Ｂ）の第二挿通空間（Ｓ2 ）とし、外枠部（８ｃ）と中枠部（８ｄ）の間をベルト（Ｂ）の第三挿通空間（Ｓ3 ）としていることを特徴とする請求項１記載のベルト。
【請求項３】
ベルト（Ｂ）の一端は、第一挟持枠（１）の外枠部（３ｃ）と、第二挟持枠（１）の外枠部（８ｃ）との間に挟持され、ベルト（Ｂ）の他端は、第一挟持枠（１）の外枠部（５ｃ）と、第二挟持枠（１）の外枠部（６ｃ）との間に挟持されていることを特徴とする請求項２記載のベルト。
【請求項４】
交差角（α）は、１０〜９０度に設定していることを特徴とする請求項１〜３の何れかに記載のベルト長さ調節具。
【請求項５】
ベルト（Ｂ）は、デュロメーターＡ２５〜６５度の伸縮性を有する弾性合成樹脂又は合成ゴムからなるものとしていることを特徴とする請求項１〜４の何れかに記載のベルト長さ調節具。
【請求項６】
外枠部（３ｃ）と外枠部（８ｃ）との挟持角（β1 ）および外枠部（５ｃ）と外枠部（６ｃ）の挟持角（β2 ）は、何れも３０〜６０度に設定されていることを特徴とする請求項２〜５の何れかに記載のベルト長さ調節具。
【請求項７】
ベルト（Ｂ）は、伸縮性を有さない合成樹脂からなるものとしていることを特徴とする請求項１〜３の何れかに記載のベルト長さ調節具。
【請求項８】
第一挟持枠（１）の枢支部（４）の両端の傾斜面（４ｆ、４ｆ）にそれぞれ凹部（９ａ、９ａ）を設け、第二挟持枠２の両側枠部（８ａ、８ｂ）の両内端面にそれぞれ凸部（９ｂ、９ｂ）を設け、前記交差角（α）を閉じたときに、これら凹部（９ａ、９ａ）と凸部（９ｂ、９ｂ）が嵌合して、この閉じた状態での固定を可能としていることを特徴とする請求項７記載のベルト長さ調節具。
【請求項９】
第一挟持枠（１）の上挟持枠体（５）の外枠部（５ｃ）の下面（５ｆ）に複数の押圧爪（１０ａ）を設け、下挟持枠体（３）の外枠部（３ｃ）の上面（３ｆ）に複数の押圧爪（１０ｂ）を設ける共に、第二挟持枠（２）の上挟持枠体（８）の外枠部（８ｃ）の下面（８ｆ）に複数の押圧爪（１０ａ）を設け、下挟持枠体（６）の外枠部（６ｃ）の上面（６ｆ）に複数の押圧爪（１０ｂ）を設け、前記交差角（α）を閉じたときに、これら押圧爪（１０ａ）と押圧爪（１０ｂ）によって、挟持したベルトの挟持力を高めるようにしていることを特徴とする請求項７または８記載のベルト長さ調節具。
【発明の詳細な説明】
【技術分野】
【０００１】
この発明は、ゴーグル、眼鏡、マスク等の顔面装着具や、鞄、手袋、衣服等の身体装着具などのベルトに用いられるベルト長さ調節具に関するものであり、特にスイミングゴーグルのベルトに適したベルト長さ調節具に関するものである。
【背景技術】
【０００２】
従来、この種のベルト長さ調節具として、例えば図２１〜２３に示したようなスイミングゴーグルのベルトに用いたものが存在する（特許文献１）。
【０００３】
このベルト長さ調節具は、表面板１８と連結片２０を有するベルト連結体１１をゴーグル本体の左右の外端部１４の前面側に配置させ、外端部１４のベルト挿通孔１５に挿通させたベルト１２を、連結片２０に巻き付けた後、ベルト挿通孔１５から引き出すようにしている。すなわち、表面板１８の外端側部に縦長のベルト路孔１６、１７を穿設すると共に、このベルト路孔１６、１７相互間部分を内方に延設して左右方向に長い連結片２０を形成している。そして、ベルト連結体１１が外端部１４に取り付けられたときには、連結片２０に巻き付けられたベルト１２が連結片２０とベルト挿通孔１５の外側構成壁部１５ａにより挟持されるものとしている。
【０００４】
このように構成されるベルト長さ調節具において、ベルト１２をアイカップ１３に取り付けるには、先ず、図２２に示したように、ベルト１２の一端部をアイカップ１３の一方側の外端部１４のベルト挿通孔１５に挿通させ、アイカップ１３から外したベルト連結体１１のベルト路孔１６、１７に挿通させ、再びベルト挿通孔１５に挿通させる。次に、ベルト連結体１１と外端部１４との関係が図２３に示す関係になるまで、ベルト１２を強く引っ張り、ベルト連結体１１をアイカップ１３に取り付ける。同様に、ベルト１２の他端部についても同様の操作をし、ベルト連結体１１をアイカップ１３に取り付ける。
【０００５】
このような操作が終了した状態では、外端部１４の外側端縁１４ａに表面板１８の嵌入凹部１９が嵌まり込み、ベルト挿通孔１５の外側構成壁部１５ａは嵌入凹部１９の構成壁と連結片２０の折曲部２０ａとにより挟み込まれている。そして、連結片２０に巻き付いたベルト１２はベルト挿通孔１５の外側構成壁部１５ａと連結片２０の折曲部２０ａにより挟持された状態となっており、ベルト１２が連結片２０に対して滑ることがない。したがって、このベルト長さ調節具では、ベルト１２は不用意に緩むことはないとしている。
【０００６】
さらに、この種のベルト長さ調節具として、例えば図２４〜２６に示したようなスイミングゴーグルのベルトに用いたものが存在する（特許文献２）。
【０００７】
このベルト長さ調節具は、操作部材３１を介してベルト３２をアイカップ３３に取り付けるようにしている。アイカップ３３の端部には、図２５に示したように、押圧面部３３ａを形成し、この押圧面部３３ａに所要の間隔をおいて一対の支持アーム３４、３４を一体として設けたものとしている。前記支持アーム３４、３４の先端部間には、ベルト３２を巻き付ける支軸３５を設けている。さらに、前記支持アーム３４、３４間には、操作部材３１が回動自在として取り付けられている。
【０００８】
そして、前記操作部材３１は、内端を押圧操作部３１ａとし、外端を引上げ操作部３１ｂとしたものとしている。前記操作部材３１には、押圧操作部３１ａに対向して、前記アイカップ３３の押圧面部３３ａを押圧して弾性変形するようにした弾性片３６（図２６参照）が設けられ、前記押圧操作部３１ａと引上げ操作部３１ｂの中間部に、係合爪３７ａを有した係合体３７が設けられている。この係合爪３７ａは、前記支軸３５に巻き付けて折り返したベルト３２の表面側の長さ方向に複数設けた突出部３８の何れかに係脱自在としている。
【０００９】
このようにしたベルト長さ調節具は、スイミングゴーグルを装着した状態において、操作部材３１が操作し易くなり、押す操作または引き上げる操作の何れによっても、ベルト３２を緩めることができるようになり、非常に便利なものになるとしている。
【先行技術文献】
【特許文献】
【００１０】
【特許文献１】特開２００３−２３６０１８号公報
【特許文献２】特開２０１２−１３９３６０号公報
【発明の概要】
【発明が解決しようとする課題】
【００１１】
しかしながら、上記特許文献１に記載されたベルト長さ調節具では、ベルトの長さを調節する場合には、図２２に示したように、ベルト連結体１１をアイカップ１３から外した状態にしなければならない。このような状態にするには、スイミングゴーグルを装着した状態では困難であり、スイミングゴーグルを外した状態でないと、ベルトの長さの調節を上手く行うことができなという課題を有していた。
【００１２】
さらに、上記特許文献２に記載されたベルト長さ調節具では、スイミングゴーグルを装着した状態でベルト３２の長さを調節することができるが、アイカップ３３の端部の構造が複雑になるため、生産効率が悪く、生産コストの増大に繋がるという課題を有していた。また、このベルト長さ調節具では、アイカップ３３の端部の嵩が高くなると共に、ベルト３２の表面にも突出部３８を設ける必要があるため、競泳などにおいては、流体抵抗が大きくなって不利であるという課題を有していた。
【００１３】
そこで、この発明は、装着した状態においてベルトの長さ調節の操作がし易く、しかも構造が簡単で、生産コストも削減することができ、さらに嵩が低いため、スイミングゴーグル用とした場合、競泳などにおいて流体抵抗が小さく有利なものとなるベルト長さ調節具を提供することを目的としてなされたものである。
【課題を解決するための手段】
【００１４】
この発明のベルト長さ調節具は、第一挟持枠１と第二挟持枠２を交差させ回動自在として、両挟持枠１、２を交差角αまで拡げたり、この交差角αを閉じたりできるようにしたベルト挟持枠Ｆとし、このベルト挟持枠Ｆの一端にベルトＢの一端を挿通し、ベルト挟持枠Ｆの他端にベルトＢの他端を挿通し、前記交差角αを閉じたときに、第一、二挟持枠１、２間にベルトＢの一端と他端が挟持されるようにし、前記交差角αまで拡げたときに、前記ベルトＢの一端と他端の挟持が解除されるようにしている。
【００１５】
この発明のベルト長さ調節具において、第一挟持枠１は、一方側を下挟持枠体３とし、枢支部４を間において、他方側を上挟持枠体５とし、下挟持枠体３は、両側枠部３ａ、３ｂと外枠部３ｃとからなり、外枠部３ｃの内方をベルトＢの第一挿通空間Ｓ1 とし、上挟持枠体５は、両側枠部５ａ、５ｂと外枠部５ｃと中枠部５ｄとからなり、中枠部５ｄの内方をベルトＢの第二挿通空間Ｓ2 とし、外枠部５ｃと中枠部５ｄの間をベルトＢの第三挿通空間Ｓ3 としており、第二挟持枠２は、一方側を下挟持枠体６とし、枢支部７を間において、他方側を上挟持枠体８とし、下挟持枠体６は、両側枠部６ａ、６ｂと外枠部６ｃとからなり、外枠部６ｃの内方をベルトＢの第一挿通空間Ｓ1 とし、上挟持枠体８は、両側枠部８ａ、８ｂと外枠部８ｃと中枠部８ｄとからなり、中枠部８ｄの内方をベルトＢの第二挿通空間Ｓ2 とし、外枠部８ｃと中枠部８ｄの間をベルトＢの第三挿通空間Ｓ3 としている。
【００１６】
この発明のベルト長さ調節具において、ベルトＢの一端は、第一挟持枠１の外枠部３ｃと、第二挟持枠１の外枠部８ｃとの間に挟持され、ベルトＢの他端は、第一挟持枠１の外枠部５ｃと、第二挟持枠１の外枠部６ｃとの間に挟持されている。
【００１７】
この発明のベルト長さ調節具において、交差角αは、１０〜９０度に設定している。
【００１８】
この発明のベルト長さ調節具において、ベルトＢは、デュロメーターＡ２５〜６５度の伸縮性を有する弾性合成樹脂又は合成ゴムからなるものとしている。
【００１９】
この発明のベルト長さ調節具において、外枠部３ｃと外枠部８ｃとの挟持角β1 および外枠部５ｃと外枠部６ｃの挟持角β2 は、何れも３０〜６０度に設定される。
この発明のベルト長さ調節具において、ベルトＢは、伸縮性を有さない合成樹脂からなるものとしている。
【００２０】
この発明のベルト長さ調節具において、第一挟持枠１の枢支部４の両端の傾斜面４ｆ、４ｆにそれぞれ凹部９ａ、９ａを設け、第二挟持枠２の両側枠部８ａ、８ｂの両内端面にそれぞれ凸部９ｂ、９ｂを設け、前記交差角αを閉じたときに、これら凹部９ａ、９ａと凸部９ｂ、９ｂが嵌合して、この閉じた状態での固定を可能としている。
【００２１】
この発明のベルト長さ調節具において、第一挟持枠１の上挟持枠体５の外枠部５ｃの下面５ｆに複数の押圧爪１０ａを設け、下挟持枠体３の外枠部３ｃの上面３ｆに複数の押圧爪１０ｂを設ける共に、第二挟持枠２の上挟持枠体８の外枠部８ｃの下面８ｆに複数の押圧爪１０ａを設け、下挟持枠体６の外枠部６ｃの上面６ｆに複数の押圧爪１０ｂを設け、前記交差角αを閉じたときに、これら押圧爪１０ａと押圧爪１０ｂによって、挟持したベルトの挟持力を高めるようにしている。
【発明の効果】
【００２２】
この発明のベルト長さ調節具は、以上に述べたように構成されているので、装着した状態においてベルトの長さ調節の操作がし易く、しかも構造が簡単で、生産コストも削減することができ、スイミングゴーグル用とした場合、競泳などにおいて流体抵抗が小さく有利なものとなる。
【図面の簡単な説明】
【００２３】
【図１】この発明のベルト長さ調節具を用いたスイミングゴーグルを前方から見た状態の斜視図である。
【図２】図１に示すスイミングゴーグルを後方から見た状態の斜視図である。
【図３】図１に示すスイミングゴーグルの平面図である。
【図４】この発明のベルト長さ調節具を二個用いたスイミングゴーグルを後方から見た状態の斜視図である。
【図５】この発明のベルト長さ調節具の斜視図である。
【図６】この発明のベルト長さ調節具の分解斜視図である。
【図７】図５に示すベルト長さ調節具の側面図である。
【図８】図５に示すベルト長さ調節具の断面図である。
【図９】図５に示すベルト長さ調節具の交差角を閉じた状態の斜視図である。
【図１０】図９に示すベルト長さ調節具の側面図である。
【図１１】図９に示すベルト長さ調節具の断面図である。
【図１２】この発明のベルト長さ調節具の他実施例の斜視図である。
【図１３】図１２に示すベルト長さ調節具の分解斜視図である。
【図１４】図１２に示すベルト長さ調節具を別方向から見た斜視図である。
【図１５】図１２に示すベルト長さ調節具の側面図である。
【図１６】図１２に示すベルト長さ調節具の断面図である。
【図１７】図１２に示すベルト長さ調節具の交差角を閉じた状態の斜視図である。
【図１８】図１７に示すベルト長さ調節具の側面図である。
【図１９】図１７に示すベルト長さ調節具の断面図である。
【図２０】この発明のベルト長さ調節具のベルトの挿通状態を示しており、（ａ）はベルト長さ調節具を交差角まで拡げた状態の断面図であり、（ｂ）はベルト長さ調節具の交差角を閉じた状態の断面図である。
【図２１】従来のベルト長さ調節具を用いたスイミングゴーグルの一例の正面図である。
【図２２】図２１に示すベルト長さ調節具をスイミングゴーグルから外した状態の一部断面斜視図である。
【図２３】図２１に示すベルト長さ調節具のベルトの挿通状態の断面図である。
【図２４】従来の別構造のベルト長さ調節体を用いたスイミングゴーグルの斜視図である。
【図２５】図２４に示すベルト長さ調節具をスイミングゴーグルから外した状態の分解斜視図である。
【図２６】図２４に示すベルト長さ調節具のベルトの挿通状態の断面図である。
【発明を実施するための形態】
【００２４】
以下、この発明のベルト長さ調節具を実施するための形態について、図面に基づき詳細に説明する。
【００２５】
図１〜４は、この発明のベルト長さ調節具を備えたスイミングゴーグルを示しており、レンズフレームの両端部には、使用者が着用するためのベルトＢが取り付けられている。すなわち、前記レンズフレームの両端部には、ベルト挿通孔ｈが設けられており、このベルト挿通孔ｈに挿通されたベルトＢは、ベルト長さ調節具によって、長さを調節自在として、前記レンズフレームの両端部に取り付けられている。
【００２６】
図１〜３に示したこの発明のベルト長さ調節具は、スイミングゴーグルを着用した場合に使用者の後頭部に位置するようにベルトＢの一個所に備えたものとしている。図４に示したこの発明のベルト長さ調節具は、スイミングゴーグルを着用した場合に使用者の両側頭部に位置するようにベルトＢの二個所に備えたものとしている。
【００２７】
ベルトＢは、図１〜３に示したものでは、一本のベルトＢの両端をレンズフレームの両端部のベルト挿通孔ｈのそれぞれの内側から外側に向かって挿通し、それぞれ折り返して二重にしたベルトＢの両端に、この発明のベルト長さ調節具を備えたものとしている。さらに、図４に示したベルトＢは、一本のベルトＢの両端をレンズフレームの両端部のベルト挿通孔ｈのそれぞれの内側から外側に向かって挿通し、それぞれ折り返して二重にしたベルトＢのそれぞれの両端と、このベルトＢに重ね合わせられるもう一本のベルトＢのそれぞれの両端の二個所に、この発明のベルト長さ調節具を備えたものとしている。なお、図１〜３に示したベルトＢも、図４に示したベルトＢも、ベルト挿通孔ｈに挿通してから折り返して二重になるようにすることなく、ベルトＢの両端をベルト挿通孔ｈに止着することにより、ベルトＢを一重の状態にしてもよい。
【００２８】
この発明のベルト長さ調節具は、図５〜１１に示したように、ポリカーボート、ポリアミド、ＡＢＳ樹脂などの硬質樹脂製の第一挟持枠１と第二挟持枠２を交差させて枢支し、これら両挟持枠１、２を回動自在として、両挟持枠１、２を交差角αまで拡げたり、この交差角αを閉じたりできるようにしたベルト挟持枠Ｆとしている。そして、このベルト挟持枠Ｆの一端にベルトＢの一端を挿通し、ベルト挟持枠Ｆの他端にベルトＢの他端を挿通し、前記交差角αを閉じたときに、第一、二挟持枠１、２間にベルトＢの一端と他端が挟持されるようにし、前記交差角αまで拡げたときに、前記ベルトＢの一端と他端の挟持が解除されるようにしている。
【００２９】
交差角αは、１０〜９０度に設定することができるが、この交差角αまで拡げるには、第一挟持枠１と第二挟持枠２を指で摘み上げたり、ベルトＢの両端を摘み上げることにより行うので、その操作性を考慮すれば、２０〜４０度に設定するのが好ましく、さらに３０度程度に設定するのがより好ましい。交差角αが１０度よりも小さくなると、ベルトＢを緩めるときに、第一挟持枠１と第二挟持枠２が摘みにくく、摩擦も強いままなのでベルトＢが緩みにくくなる。逆に交差角αが９０度よりも大きくなると、ベルトＢを緩めるときに指の力がかかりやすくなってしまい、破損が起こりやすくなる。
【００３０】
第一挟持枠１は、一方側を下挟持枠体３とし、枢支部４を間において、他方側を上挟持枠体５とし、平面視すると全体として略矩形状に形成したものとしている。下挟持枠体３は、両側枠部３ａ、３ｂと外枠部３ｃとからなり、外枠部３ｃの内方をベルトＢの第一挿通空間Ｓ1 としている。上挟持枠体５は、両側枠部５ａ、５ｂと外枠部５ｃと中枠部５ｄとからなり、中枠部５ｄの内方をベルトＢの第二挿通空間Ｓ2 とし、外枠部５ｃと中枠部５ｄの間をベルトＢの第三挿通空間Ｓ３ としている。枢支部４は、凹部または凸部の何れかとすることができるが、後に述べるような第二挟持枠２の枢支部７を凸部とした場合は、図示したような第一挟持枠１に設けた貫通孔Ｈ、Ｈのような凹部にしているが、逆に第二挟持枠２の枢支部７をこのような凹部とした場合は、凸部にすることができる。さらに、外枠部３ｃおよび中枠部５ｄは、ベルトの長さを調節する場合、後に述べるようにベルトＢがこれらに沿って摺動するので、このときスムーズに摺動できるように、ベルトＢとの摺動面にアール（丸み）を付けたものとしている。なお、前記第一挿通空間Ｓ1 、第二挿通空間Ｓ2 および第三挿通空間Ｓ3 のそれぞれのスリット幅は、後に述べるベルトＢの厚さより充分に広い幅に形成している。
【００３１】
第二挟持枠２は、一方側を下挟持枠体６とし、枢支部７を間において、他方側を上挟持枠体８とし、平面視すると全体として略矩形状に形成したものとしている。下挟持枠体６は、両側枠部６ａ、６ｂと外枠部６ｃとからなり、外枠部６ｃの内方をベルトＢの第一挿通空間Ｓ1 としている。上挟持枠体８は、両側枠部８ａ、８ｂと外枠部８ｃと中枠部８ｄとからなり、中枠部８ｄの内方をベルトＢの第二挿通空間Ｓ2 とし、外枠部８ｃと中枠部８ｄの間をベルトＢの第三挿通空間Ｓ3 としている。枢支部７は、凹部または凸部の何れかとすることができるが、先に述べたような第一挟持枠１の枢支部４を凹部とした場合は、図示したような第二挟持枠２に設けた突起Ｐ、Ｐのような凸部にしているが、逆に第一挟持枠１の枢支部４をこのような凸部とした場合は、凹部にすることができる。さらに、外枠部６ｃおよび中枠部８ｄも、前記したのと同様に、ベルトの長さを調節する場合、後に述べるようにベルトＢがこれらに沿って摺動するので、このときスムーズに摺動できるように、ベルトＢとの摺動面にアール（丸み）を付けたものとしている。なお、第二挟持枠２の第一挿通空間Ｓ1 、第二挿通空間Ｓ2 および第三挿通空間Ｓ3 のそれぞれのスリット幅も同様、後に述べるベルトＢの厚さより充分に広い幅に形成している。
【００３２】
ベルトＢは、スイミングゴーグル用とする場合には、エラストマー、シリコーンゴムなどのデュロメーターＡ２５〜６５度の伸縮性を有する弾性合成樹脂又は合成ゴムからなるものとしており、厚さを１. ２〜２. ４ｍｍとするのが好ましいが、身体装着具などのベルトに用いられる場合には、伸縮性を有さない合成樹脂からなるものとすることもできる。なお、ベルトＢの一端は、第一挟持枠１の外枠部３ｃと、第二挟持枠１の外枠部８ｃとの間に挟持され、ベルトＢの他端は、第一挟持枠１の外枠部５ｃと、第二挟持枠１の外枠部６ｃとの間に挟持される。この場合、前記外枠部３ｃと外枠部８ｃとの挟持角β1 および前記外枠部５ｃと外枠部６ｃの挟持角β2 は、前記ベルトＢのデュロメーターＡ２５〜６５度の伸縮性を有する弾性合成樹脂又は合成ゴムとしたときは、何れも３０〜６０度に設定するのが好ましく、さらに４５度程度に設定するのがより好ましいが、使用するベルトＢの硬度や摩擦係数等に応じた角度に設定することができる。
【００３３】
なお、この発明のベルト長さ調節具は、ベルトＢを伸縮性を有さない合成樹脂からなるものとする場合には、図１２〜１９に示したような構造を付加したものとすることができる。
【００３４】
このようなベルト長さ調節具では、第一挟持枠１の枢支部４の両端の傾斜面４ｆ、４ｆにそれぞれ凹部９ａ、９ａを設け、第二挟持枠２の両側枠部８ａ、８ｂの両内端面にそれぞれ凸部９ｂ、９ｂを設け、前記交差角αを閉じたときに、これら凹部９ａ、９ａと凸部９ｂ、９ｂが嵌合して、この閉じた状態での固定を可能としている。
【００３５】
さらに、このようなベルト長さ調節具では、第一挟持枠１の上挟持枠体５の外枠部５ｃの下面５ｆに複数の押圧爪１０ａを設け、下挟持枠体３の外枠部３ｃの上面３ｆに複数の押圧爪１０ｂを設ける共に、第二挟持枠２の上挟持枠体８の外枠部８ｃの下面８ｆに複数の押圧爪１０ａを設け、下挟持枠体６の外枠部６ｃの上面６ｆに複数の押圧爪１０ｂを設け、前記交差角αを閉じたときに、これら押圧爪１０ａと押圧爪１０ｂによって、挟持したベルトの挟持力を高めるようにしている。
【００３６】
以上のように構成したこの発明のベルト長さ調節具は、ベルト挟持枠Ｆの一端にベルトＢの一端を、ベルト挟持枠Ｆの他端にベルトＢの他端をそれぞれ挿通し、ベルトＢの一端と他端を、第一、二挟持枠１、２間に挟持したり、そのベルトＢの一端と他端の挟持が解除されるようにするには、図２０ａ、２０ｂに示したようにして行う。
【００３７】
先ず、図２０ａに示したように、第一挟持枠１と第二挟持枠２を交差角αまで拡げ、ベルトＢの一端を、第一挟持枠１の第一挿通空間Ｓ1 の下方から、この第一挿通空間Ｓ1 に挿通させ、第二挟持枠２の第二挿通空間Ｓ2 の下方から、この第二挿通空間Ｓ2 に挿通させ、さらにこのベルトＢの一端を、第二挟持枠２の第三挿通空間Ｓ3 上方から、この第三挿通空間Ｓ3 に挿通させ、第三挿通空間Ｓ3 の下方に引き出す。
【００３８】
次に、ベルトＢの他端を、第二挟持枠２の第一挿通空間Ｓ1 の下方から、この第二挿通空間Ｓ1 に挿通させ、第一挟持枠１の第二挿通空間Ｓ2 の下方から、この第二挿通空間Ｓ2 に挿通させ、さらにこのベルトＢの他端を、第一挟持枠１の第三挿通空間Ｓ3 上方から、この第三挿通空間Ｓ3 に挿通させ、第三挿通空間Ｓ3 の下方に引き出す。
【００３９】
そして、図２０ｂに示したように、第一挟持枠１と第二挟持枠２の交差角αを閉じると、ベルトＢの一端は、第一挟持枠１の外枠部３ｃと、第二挟持枠２の外枠部８ｃとの間に挟持され、ベルトＢの他端は、第一挟持枠１の外枠部５ｃと、第二挟持枠２の外枠部６ｃとの間に挟持されることになる。
【００４０】
このように構成したこの発明のベルト長さ調節具を備えたスイミングゴーグルの装着状態におけるベルトに緩みが発生しないことを、以下に示すベルト繰り返し荷重試験（ＪＩＳ  Ｓ７３０１  ７. ６）によって確認した。
〔試験内容〕
スイミングゴーグルを鋼管（直径約２００ｍｍ）に装着し、ベルト部分を１９. ６Ｎの繰り返し荷重で毎分６０回の速さで２０分間繰り返し引っ張り、ベルトの異状の有無をみる。ただし、ベルトは１時間水に浸した後に試験を行う。合格基準は、片側１０ｍｍ以上のずれ又は切れのないこととなっている。
【００４１】
この発明のベルト長さ調節具の構成としては、第一、二挟持枠１、２間の交差角αを３０度とし、外枠部３ｃと外枠部８ｃとの挟持角β1 および前記外枠部５ｃと外枠部６ｃの挟持角β2 を４５度とし、外枠部３ｃおよび中枠部５ｄのベルトＢとの摺動面、外枠部６ｃおよび中枠部８ｄのベルトＢとの摺動面には、アール（丸み）を付けたものとしている。なお、ベルトＢは、デュロメーターＡ５０度とし、厚さを１. ３ｍｍ、幅を７ｍｍとした。このようにした場合の前記ベルト繰り返し荷重試験では、ベルトＢのずれや切れは確認できなかった。
【００４２】
以上のように構成したこの発明のベルト長さ調節具を備えたスイミングゴーグルにおいて、ベルトの長さを調節するには、以下に述べるような操作によって行われる。
【００４３】
先ず、この発明のベルト長さ調節具は、図２０ｂに示したように、第一挟持枠１と第二挟持枠２の交差角αを閉じた状態では、非常に嵩の低いものとなっており、この状態でスイミングゴーグルを着用すると、使用者の後頭部や両側頭部に位置するものとなる。
【００４４】
そこで、その着用したスイミングゴーグルのベルトＢが緩い場合は、図２０ｂに示した状態から、ベルトＢの両端をそれぞれ使用者が指で摘んで、頭部から離れる方向に引っ張ると、図２０ａに示したように、第一挟持枠１と第二挟持枠２が交差角αまで拡げられる。
【００４５】
次に、第一挟持枠１と第二挟持枠２が交差角αまで拡げられたまま、ベルトＢの両端をそれぞれ互いに引き離す方向（左右方向）に引っ張ると、第一挟持枠１の中枠部５ｄと第二挟持枠２の外枠部６ｃに沿ってベルトＢの一端側が摺動して縮み、第二挟持枠２の中枠部８ｄと第一挟持枠１の外枠部３ｃに沿ってベルトＢの他端側も摺動して縮むので、ベルトＢが締め付けられることになる。この状態からベルトＢの両端を引っ張っている力を緩めると、スイミングゴーグル側からの張力の方が大きくなり、ベルトＢの伸縮力により第一挟持枠１の中枠部５ｄと第二挟持枠２の中枠部８ｄとが頭部側へ引っ張られ、図２０ｂに示したように、交差角αが閉じられる。そして、ベルトＢの一端は、第一挟持枠１の外枠部３ｃと、第二挟持枠１の外枠部８ｃとの間に挟持され、ベルトＢの他端は、第一挟持枠１の外枠部５ｃと、第二挟持枠１の外枠部６ｃとの間に挟持されることになるので、ベルトＢの両端を摘んでいる指を離しても、ベルトが緩まず固定された状態が維持される。
【００４６】
また、着用したスイミングゴーグルのベルトＢが強い場合は、図２０ｂに示した状態から、第一挟持枠１の外枠部５ｃと第二挟持枠１の外枠部８ｃをそれぞれ使用者が指で摘んで頭部から離れる方向に引き上げると、図２０ａに示したように、第一挟持枠１と第二挟持枠２が交差角αまで拡げられる。
【００４７】
次に、第一挟持枠１と第二挟持枠２が交差角αまで拡げられたまま、指で摘んだ第一挟持枠１と第二挟持枠２をさらに頭部から離れる方向に引き上げると、第一挟持枠１の中枠部５ｄと第二挟持枠２の外枠部６ｃに沿ってベルトＢの一端側が摺動して伸び、第一挟持枠１の中枠部５ｄと第二挟持枠２の外枠部６ｃに沿ってベルトＢの他端側も摺動して伸びるので、ベルトＢが緩められることになる。この状態から第一挟持枠１と第二挟持枠２の引き上げている力を緩めると、前記したのと同様に、スイミングゴーグル側からの張力の方が大きくなり、ベルトＢの伸縮力により第一挟持枠１の中枠部５ｄと第二挟持枠２の中枠部８ｄとが頭部側へ引っ張られ、図２０ｂに示したように、交差角αが閉じられる。そして、ベルトＢの一端は、第一挟持枠１の外枠部３ｃと、第二挟持枠１の外枠部８ｃとの間に挟持され、ベルトＢの他端は、第一挟持枠１の外枠部５ｃと、第二挟持枠１の外枠部６ｃとの間に挟持されることになるので、ベルトＢの両端を摘んでいる指を離しても、ベルトが緩まず固定された状態が維持される。
【００４８】
以上に述べたようにこの発明のベルト長さ調節具は、装着した状態においてベルトの長さ調節の操作がし易く、しかも構造が簡単で、生産コストも削減することができ、スイミングゴーグル用とした場合には、競泳などにおいて流体抵抗が小さく有利なものとなるという優れた効果を有する。
【符号の説明】
【００４９】
１  第一挟持枠
２  第二挟持枠
３  下挟持枠体
３ａ  側枠部
３ｂ  側枠部
３ｃ  外枠部
３ｆ  上面
４  枢支部
４ｆ  傾斜面
５  上挟持枠体
５ａ  側枠部
５ｂ  側枠部
５ｃ  外枠部
５ｄ  中枠部
５ｆ  下面
６  下挟持枠体
６ａ  側枠部
６ｂ  側枠部
６ｃ  外枠部
６ｆ  上面
７  枢支部
８  上挟持枠体
８ａ  側枠部
８ｂ  側枠部
８ｃ  外枠部
８ｄ  中枠部
８ｆ  下面
１０ａ  押圧爪
１０ｂ  押圧爪
Ｂ  ベルト
α  交差角
β1 挟持角
β2 挟持角
Ｆ  ベルト挟持枠
Ｓ1 第一挿通空間
Ｓ2 第二挿通空間
Ｓ3 第三挿通空間
【図１】
2018075265.tif 000003
【図２】
2018075265.tif 000004
【図３】
2018075265.tif 000005
【図４】
2018075265.tif 000006
【図５】
2018075265.tif 000007
【図６】
2018075265.tif 000008
【図７】
2018075265.tif 000009
【図８】
2018075265.tif 000010
【図９】
2018075265.tif 000011
【図１０】
2018075265.tif 000012
【図１１】
2018075265.tif 000013
【図１２】
2018075265.tif 000014
【図１３】
2018075265.tif 000015
【図１４】
2018075265.tif 000016
【図１５】
2018075265.tif 000017
【図１６】
2018075265.tif 000018
【図１７】
2018075265.tif 000019
【図１８】
2018075265.tif 000020
【図１９】
2018075265.tif 000021
【図２０】
2018075265.tif 000022
【図２１】
2018075265.tif 000023
【図２２】
2018075265.tif 000024
【図２３】
2018075265.tif 000025
【図２４】
2018075265.tif 000026
【図２５】
2018075265.tif 000027
【図２６】
2018075265.tif 000028